(57)【要約】【課題】コンテンツのダウンロードに伴うネットワークの負荷を軽減するとともに、コンテンツの紹介を促進するコンテンツ配信装置及びコンテンツ配信方法を提供する。【解決手段】コンテンツを復号する復号鍵を配信するコンテンツ配信サーバ２０は、コンテンツを第１のユーザ端末から受信した第２のユーザ端末から送信された、コンテンツの購入通知と第１のユーザ端末に関する情報が含まれる第１のメタデータとを受信する受信する受信部２１と、第２のユーザ端末に関する情報と第１のメタデータとから、第２のユーザ端末に関する情報が含まれる第２のメタデータを生成する第１の生成部２４と、コンテンツに対する復号鍵を生成する第２の生成部２４と、第２のメタデータ及び復号鍵をユーザ端末へ送信する送信部２２とを備える。【選択図】図１
2006295650.tif 000002
【特許請求の範囲】
【請求項１】
コンテンツデータを復号する復号鍵を配信するコンテンツ配信装置であって、
前記コンテンツデータを第１のユーザ端末から受信した第２のユーザ端末から送信された、前記コンテンツデータの購入通知と前記第１のユーザ端末に関する情報が含まれる第１のメタデータとを受信する受信部と、
前記第２のユーザ端末に関する情報と前記第１のメタデータとから、前記第２のユーザ端末に関する情報が含まれる第２のメタデータを生成する第１の生成部と、
前記コンテンツデータに対する復号鍵を生成する第２の生成部と、
前記第２のメタデータ及び前記復号鍵を前記ユーザ端末へ送信する送信部と
を備えることを特徴とするコンテンツ配信装置。
【請求項２】
前記受信部は、前記第２のユーザ端末から署名を受信し、
前記署名を認証する認証部を更に備え、
前記第１の生成部及び前記第２の生成部は、前記認証部により前記署名が正当である場合に、前記第２のメタデータ及び前記復号鍵を生成することを特徴とする請求項１に記載のコンテンツ配信装置。
【請求項３】
前記第１のメタデータを解析し、前記第１のメタデータに含まれる前記第１のユーザ端末に関する情報を取得する解析部を更に備え、
前記解析部は、前記第１のユーザ端末へ特典を与えることを特徴とする請求項１又は２に記載のコンテンツ配信装置。
【請求項４】
コンテンツデータを復号する復号鍵を配信するコンテンツ配信方法であって、
前記コンテンツデータを第１のユーザ端末から受信した第２のユーザ端末から送信された、前記コンテンツデータの購入通知と前記第１のユーザ端末に関する情報が含まれる第１のメタデータとを受信する受信するステップと、
前記第２のユーザ端末に関する情報と前記第１のメタデータとから、前記第２のユーザ端末に関する情報が含まれる第２のメタデータを生成するステップと、
前記コンテンツデータに対する復号鍵を生成するステップと、
前記第２のメタデータ及び前記復号鍵を前記ユーザ端末へ送信するステップと
を含むことを特徴とするコンテンツ配信方法。
【発明の詳細な説明】
【技術分野】
【０００１】
本発明は、コンテンツ配信装置及びコンテンツ配信方法に関する。
【背景技術】
【０００２】
従来、音声や映像などのコンテンツデータを、インターネット等を介して、ダウンロードすることが行われている。このとき、コンテンツデータを紹介したユーザに対して、特典を付与することも行われている。
【０００３】
例えば、紹介元端末装置がコンテンツデータの紹介データ（紹介メール）を紹介先端末装置に送信するとともに、サーバ装置がコンテンツデータを紹介したユーザに特典を付与する技術（例えば、特許文献１参照。）や、コンテンツ配信装置が、コンテンツのダウンロードを促進するユーザを先導グループとして管理するとともに、コンテンツのダウンロード数が所定数以上となった場合に、先導グループに含まれるユーザに特典を付与する技術（例えば、特許文献２参照。）。などが開示されている。
【特許文献１】特開２００２−３１２６７４号公報
【特許文献２】特開２００２−２０７９１５号公報
【発明の開示】
【発明が解決しようとする課題】
【０００４】
しかしながら、上述の従来技術では、コンテンツはインターネット等を介してダウンロードされるため、ネットワークの負荷がかかることが問題となっている。
【０００５】
そこで、本発明は、上記の課題に鑑み、コンテンツデータのダウンロードに伴うネットワークの負荷を軽減するとともに、コンテンツデータの紹介を促進するコンテンツ配信装置及びコンテンツ配信方法を提供することを目的とする。
【課題を解決するための手段】
【０００６】
上記目的を達成するため、本発明の第１の特徴は、コンテンツデータを復号する復号鍵を配信するコンテンツ配信装置であって、（ａ）コンテンツデータを第１のユーザ端末から受信した第２のユーザ端末から送信された、コンテンツデータの購入通知と第１のユーザ端末に関する情報が含まれる第１のメタデータとを受信する受信する受信部と、（ｂ）第２のユーザ端末に関する情報と第１のメタデータとから、第２のユーザ端末に関する情報が含まれる第２のメタデータを生成する第１の生成部と、（ｃ）コンテンツデータに対する復号鍵を生成する第２の生成部と、（ｄ）第２のメタデータ及び復号鍵をユーザ端末へ送信する送信部とを備えるコンテンツ配信装置であることを要旨とする。
【０００７】
第１の特徴に係るコンテンツ配信装置によると、紹介者情報を含むメタデータ及びコンテンツデータそのものをユーザ間で受け渡すことによって、コンテンツデータのダウンロードに伴うネットワークの負荷を軽減するとともに、コンテンツデータの紹介を促進することができる。
【０００８】
又、第１の特徴に係るコンテンツ配信装置の受信部は、第２のユーザ端末から署名を受信し、署名を認証する認証部を更に備え、第１の生成部及び第２の生成部は、認証部により署名が正当である場合に、第２のメタデータ及び復号鍵を生成してもよい。
【０００９】
このコンテンツ配信装置によると、ユーザ端末が正当な端末である場合のみ、復号鍵を生成するため、正当なユーザ端末のみがコンテンツデータを再生することができる。
【００１０】
又、第１の特徴に係るコンテンツ配信装置は、第１のメタデータを解析し、第１のメタデータに含まれる第１のユーザ端末に関する情報を取得する解析部を更に備え、解析部は、第１のユーザ端末へ特典を与えてもよい。
【００１１】
このコンテンツ配信装置によると、メタデータを解析することにより、ユーザ端末間の関連を把握でき、ユーザ端末へ適切な特典を与えることができる。
【００１２】
本発明の第２の特徴は、コンテンツデータを復号する復号鍵を配信するコンテンツ配信方法であって、（ａ）コンテンツデータを第１のユーザ端末から受信した第２のユーザ端末から送信された、コンテンツデータの購入通知と第１のユーザ端末に関する情報が含まれる第１のメタデータとを受信する受信するステップと、（ｂ）第２のユーザ端末に関する情報と第１のメタデータとから、第２のユーザ端末に関する情報が含まれる第２のメタデータを生成するステップと、（ｃ）コンテンツデータに対する復号鍵を生成するステップと、（ｄ）第２のメタデータ及び復号鍵をユーザ端末へ送信するステップとを含むコンテンツ配信方法であることを要旨とする。
【００１３】
第２の特徴に係るコンテンツ配信方法によると、紹介者情報を含むメタデータ及びコンテンツデータそのものをユーザ間で受け渡すことによって、コンテンツデータのダウンロードに伴うネットワークの負荷を軽減するとともに、コンテンツデータの紹介を促進することができる。
【発明の効果】
【００１４】
本発明によると、コンテンツデータのダウンロードに伴うネットワークの負荷を軽減するとともに、コンテンツデータの紹介を促進するコンテンツ配信装置及びコンテンツ配信方法を提供することができる。
【発明を実施するための最良の形態】
【００１５】
次に、図面を参照して、本発明の実施の形態を説明する。以下の図面の記載において、同一又は類似の部分には、同一又は類似の符号を付している。ただし、図面は模式的なものであることに留意すべきである。
【００１６】
（コンテンツ配信サーバ）
本実施の形態では、ユーザ端末間で、音楽や映像、アップデータファイルなどの暗号化されたコンテンツデータをやりとりし、この暗号化されたコンテンツを復号する復号鍵を、インターネット上に配置されたコンテンツ配信サーバ（コンテンツ配信装置）から取得するシステムについて説明する。ここで、ユーザ端末とは、例えば、携帯電話、ノートパソコン、ＰＨＳなどの携帯可能な機器が挙げられる。
【００１７】
本実施の形態に係るコンテンツ配信サーバ（コンテンツ配信装置）２０は、図１に示すように、受信部２１と、送信部２２と、認証部２３と、生成部２４と、保存部２５と、解析部２６とを備える。
【００１８】
ここで、ユーザ端末１０（第２のユーザ端末）は、他のユーザ端末（第１のユーザ端末）から暗号化されたコンテンツデータを取得しているものとする。
【００１９】
受信部２１は、ユーザ端末１０（第２のユーザ端末）から送信された、コンテンツデータの購入通知と他のユーザ端末（第１のユーザ端末）に関する情報が含まれる第１のメタデータとユーザ端末１０の署名とを受信する。又、メタデータには、コンテンツＩＤ、配布パスの情報の他、課金情報などが含まれてもよい。
【００２０】
認証部２３は、ユーザ端末１０（第２のユーザ端末）の署名を認証する。
【００２１】
生成部２４は、認証部２３により署名が正当であると判断された場合に、ユーザ端末１０（第２のユーザ端末）に関する情報と第１のメタデータとから、他のユーザ端末（第２のユーザ端末）に関する情報が含まれる第２のメタデータを生成する。又、生成部２４は、認証部２３により署名が正当であると判断された場合に、コンテンツデータに対する復号鍵を生成する。又、生成部２４は、コンテンツデータ及びメタデータに対するハッシュ値に対する署名を生成する。
【００２２】
保存部２５は、第１のメタデータや第２のメタデータ、署名などを保持する。尚、保存部２５は、ＲＡＭなどの内部記憶装置でもよく、ＨＤなどの外部記憶装置でもよい。
【００２３】
送信部２２は、第２のメタデータ及び復号鍵をユーザ端末１０（第２のユーザ端末）へ送信する。
【００２４】
解析部２６は、第１のメタデータを解析し、第１のメタデータに含まれる他のユーザ端末（第１のユーザ端末）に関する情報を取得する。又、解析部２６は、他のユーザ端末（第１のユーザ端末）へ特典を与える。ここで、特典とは、例えば、ユーザ端末に対し、通話料金を割引するポイントを付与することなどが挙げられる。
【００２５】
又、復号鍵を受信したユーザ端末１０は、コンテンツデータを復号し、コンテンツデータを再生することができる。
【００２６】
又、図示していないが、コンテンツ配信サーバ２０は、認証処理、生成処理、解析処理などを中央演算装置（ＣＰＵ）に実行させるための実行プログラムを保存するプログラム保持部を備えてもよい。プログラム保持部は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる
（コンテンツ配信方法＝購入＝）
次に、本実施形態に係るコンテンツ配信方法について、図２及び図３を用いて、説明する。ここでは、図３に示すように、ユーザＡの有するユーザ端末１０ａがコンテンツ配信サーバ２０から暗号化されたコンテンツデータをダウンロードし、ユーザＢの有するユーザ端末１０ｂへコンテンツデータを送信することとする。更に、ユーザ端末１０ｂは、ユーザＣの有するユーザ端末１０ｃへコンテンツデータを送信する。
【００２７】
尚、コンテンツ配信サーバ２０からユーザ端末１０ａへコンテンツデータをダウンロードする場合は、ブロードバンド、移動通信網、インターネットなどのネットワークを介して行うが、ユーザ端末間の送受信は、直接コンテンツ配信サーバ２０から取得せず、無線ＬＡＮ、ＵＳＢケーブルやメモリカード等を介して行う。
【００２８】
まず、ユーザ端末１０ａは、コンテンツ配信サーバ２０からコンテンツデータをダウンロードする。このとき、メタデータ及びハッシュ値を用いて作成された署名もダウンロードする。このとき、メタデータには、ダウンロードしたユーザはユーザＡであり、紹介もユーザＡであることを示す情報が含まれる。そして、ユーザ端末１０ａの署名である署名’が生成される。
【００２９】
次に、ユーザ端末１０ｂは、ユーザ端末１０ａからコンテンツデータを受信する。ユーザＢがコンテンツデータの購入を希望する場合は、図２に示すフローチャートに従って、ユーザ端末１０ｂは動作する。
【００３０】
即ち、まず、ステップＳ１０１において、ユーザ端末１０ｂは、コンテンツデータを取得する。次に、ステップＳ１０２において、ユーザ端末１０ｂは、コンテンツ配信サーバ２０へ購入通知、メタデータ、署名を送信する。
【００３１】
次に、ステップＳ１０３において、コンテンツ配信サーバ２０は、ユーザ端末１０ｂの署名を認証し、署名が正当である場合、ステップＳ１０４へ進む。
【００３２】
次に、ステップＳ１０４において、コンテンツ配信サーバ２０は、メタデータ及び署名を生成する。そして、ステップＳ１０５において、コンテンツ配信サーバ２０は、メタデータ及び署名を保存する。
【００３３】
次に、ステップＳ１０６において、コンテンツ配信サーバ２０は、メタデータ及び署名を、ユーザ端末１０ｂへ送信する。そして、ステップＳ１０７において、ユーザ端末１０ｂは、メタデータ及び署名を取得する。このとき、メタデータには、図３に示すように、ダウンロードしたユーザはユーザＡであり、紹介したユーザはユーザＢであることを示す情報が含まれる。
【００３４】
次に、ステップＳ１０８において、コンテンツ配信サーバ２０は、コンテンツデータを復号する復号鍵を生成し、ユーザ端末１０ｂへ送信する。そして、ステップＳ１０９において、ユーザ端末１０ｂは、復号鍵を取得する。
【００３５】
次に、ステップＳ１１０において、ユーザ端末１０ｂは、復号鍵を用いて暗号化されてコンテンツデータを復号し、コンテンツデータを再生する。
【００３６】
ここでは、ユーザ端末１０ｂについて説明を行ったが、ユーザ端末１０ｃにおいても同様の動作が行われる。ユーザ端末１０ｃのメタデータには、ダウンロードしたユーザはユーザＡであり、紹介したユーザはユーザＣであることを示す情報が含まれる。
【００３７】
（コンテンツ配信方法＝中継＝）
次に、本実施形態に係るコンテンツ配信方法について、図４及び図５を用いて、説明する。ここでは、図５に示すように、ユーザＡの有するユーザ端末１０ａがコンテンツ配信サーバ２０から暗号化されたコンテンツデータをダウンロードし、ユーザＢの有するユーザ端末１０ｂへコンテンツデータを送信することとする。更に、ユーザ端末１０ｂは、ユーザＣの有するユーザ端末１０ｃへコンテンツデータを送信する。
【００３８】
まず、ユーザ端末１０ａは、コンテンツ配信サーバ２０からコンテンツデータをダウンロードする。このとき、メタデータ及びハッシュ値を用いて作成された署名もダウンロードする。このとき、メタデータには、ダウンロードしたユーザはユーザＡであり、紹介もユーザＡであることを示す情報が含まれる。そして、ユーザ端末１０ａの署名である署名’が生成される。
【００３９】
次に、ユーザ端末１０ｂは、ユーザ端末１０ａからコンテンツデータを受信する。ユーザＢがコンテンツデータの購入を希望せず、単にコンテンツデータを中継する場合は、図４に示すフローチャートに従って、ユーザ端末１０ｂは動作する。
【００４０】
即ち、まず、ステップＳ２０１において、ユーザ端末１０ｂは、コンテンツデータを取得する。次に、ステップＳ２０２において、ユーザ端末１０ｂは、コンテンツ配信サーバ２０へ中継通知、メタデータ、署名を送信する。
【００４１】
次に、ステップＳ２０３において、コンテンツ配信サーバ２０は、ユーザ端末１０ｂの署名を認証し、署名が正当である場合、ステップＳ２０４へ進む。
【００４２】
次に、ステップＳ２０４において、コンテンツ配信サーバ２０は、メタデータ及び署名を生成する。そして、ステップＳ２０５において、コンテンツ配信サーバ２０は、メタデータ及び署名を保存する。
【００４３】
次に、ステップＳ２０６において、コンテンツ配信サーバ２０は、メタデータ及び署名を、ユーザ端末１０ｂへ送信する。そして、ステップＳ１０７において、ユーザ端末１０ｂは、メタデータ及び署名を取得する。このとき、メタデータには、図５に示すように、ダウンロードしたユーザはユーザＡであり、紹介したユーザはユーザＢであることを示す情報が含まれる。
【００４４】
ここでは、ユーザ端末１０ｂについて説明を行ったが、ユーザ端末１０ｃにおいても同様の動作が行われる。ユーザ端末１０ｃのメタデータには、ダウンロードしたユーザはユーザＡであり、紹介したユーザはユーザＣであることを示す情報が含まれる。
【００４５】
（コンテンツ配信方法＝特典付与＝）
次に、本実施形態に係るコンテンツ配信方法について、図６及び図７を用いて説明する。ここでは、図７に示すように、ユーザＡ（ユーザ端末１０ａ）がコンテンツ配信サーバ２０からコンテンツデータをダウンロードしたため、ユーザＡ（ユーザ端末１０ａ）に対して、特典（バリュー）が付与される（図７の矢印Ａ）。
【００４６】
又、ユーザＡ（ユーザ端末１０ａ）を紹介者として、ユーザＢ（ユーザ端末１０ｂ）がコンテンツデータを購入したため、ユーザＡ（ユーザ端末１０ａ）に対して、特典（バリュー）が付与される（図７の矢印Ｂ）。この特典を付与する際のコンテンツ配信サーバ２０の動作について、図６を用いて説明する。
【００４７】
まず、ステップＳ３０１において、コンテンツ配信サーバ２０は、ユーザ端末１０から購入通知、メタデータ及び署名を受信する。
【００４８】
そして、ステップＳ３０２において、コンテンツ配信サーバ２０は、ユーザ端末１０の署名が正当であるか否か検証し、正当である場合、ステップＳ３０３へ進む。
【００４９】
次に、ステップＳ３０３において、コンテンツ配信サーバ２０は、メタデータの解析を行う。例えば、メタデータに含まれる、ダウンロードをしたユーザの識別情報、紹介者となったユーザの識別情報を取得する。ここでは、メタデータには、ダウンロードしたユーザはユーザＡであり、紹介したユーザもユーザＡであることを示す情報が含まれる。
【００５０】
次に、ステップＳ３０４において、コンテンツ配信サーバ２０は、ダウンロードをしたユーザ（あるいは、そのユーザ端末）、紹介者となったユーザ（あるいは、そのユーザ端末）に対して、バリューを還元する。ここでは、ダウンロード及び紹介をしたものであるユーザＡ（ユーザ端末１０ａ）に対して、特典（バリュー）が付与される（図７の矢印Ｂ）。
【００５１】
又、図７に示すように、ユーザＣ及びユーザＤがコンテンツを購入する場合についても、上記と同様の動作が行われる。即ち、ユーザＣ又はユーザＤの所有するユーザ端末から購入通知を受信した場合、コンテンツ配信サーバ２０は、図６に示す動作を行う。このとき、メタデータには、ダウンロードしたユーザはユーザＡであり、紹介したユーザはユーザＢであることを示す情報が含まれる。このため、紹介者のユーザＢ（ユーザ端末１０ｂ）に対して、特典（バリュー）が付与される（図７の矢印Ｃ）。又、ダウンロードを行ったユーザＡ（ユーザ端末１０ａ）に対しても、特典（バリュー）が付与される（図７の矢印Ｄ）。
【００５２】
（作用及び効果）
本実施形態に係るコンテンツ配信サーバ２０及びコンテンツ配信方法によると、紹介者情報を含むメタデータ及びコンテンツそのものをユーザ間で受け渡すことによって、コンテンツのダウンロードに伴うネットワークの負荷を軽減するとともに、コンテンツデータの紹介を促進することができる。
【００５３】
又、コンテンツ配信サーバ２０は、ユーザ端末から署名を受信し、署名を認証する認証部２３を備え、生成部２４は、認証部２３により署名が正当である場合に、メタデータ及び復号鍵を生成することができる。このため、ユーザ端末が正当な端末である場合のみ、復号鍵を生成するため、正当なユーザ端末のみがコンテンツデータを再生することができる。
【００５４】
又、コンテンツ配信サーバ２０は、メタデータを解析し、メタデータに含まれるユーザ端末１０に関する情報を取得する解析部２６を更に備え、解析部２６は、ユーザ端末へ特典を与えることができる。このため、メタデータを解析することにより、ユーザ端末１０へ適切な特典を与えることができる。
【００５５】
又、メタデータを解析することにより、ユーザ端末１０間の関連を把握でき、ユーザ端末１０を有するユーザの人間関係を把握することが可能となる。
【００５６】
又、ユーザ端末１０間は、ブロードバンド等を使用せずに送受信を行うため、ブロードバンドにアクセスできないユーザ端末であっても、コンテンツデータを取得することができる。
【００５７】
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００５８】
例えば、図３に示すユーザ端末１０ｃに保持されたメタデータにおいて、紹介者がユーザＣのみとなっているが、ユーザＢ及びユーザＣとしてもよい。又、ダウンロード者あるいは紹介者のどちらか一方のみをメタデータとして保持することとしてもよい。更に、メタデータとして保持される中継をした人数を制限してもよい。
【００５９】
又、図２では、メタデータ＋署名’の送信（ステップＳ１０６）と、復号鍵の送信（ステップＳ１０８）は、別のタイミングで送信されているが、同時に配信されても構わない。
【００６０】
又、上記の実施の形態において、バリュー還元は、ユーザに直接フィードバックすることによって行うと説明したが、会員制のＨＰを運営するユーザ管理サーバに対して、バリュー情報を送信することにより、バリュー還元を行ってもよい。
【００６１】
又、上記の実施形態に係るコンテンツ配信サーバ２０は、復号鍵の生成、送信を行うと説明したが、復号鍵の生成、送信を行う鍵管理サーバを別途設けても構わない。
【００６２】
又、ダウンロード情報、紹介者情報を希望しないユーザ（ユーザ端末）に対しては、メタデータを付加しないことを選択することも可能である。
【００６３】
又、コンテンツ配信サーバ２０は、同一のメタデータに対するバリュー還元（ポイント還元）の上限を設定し、この上限値を超えるポイントを還元しないように構成することもできる。
【００６４】
又、メタデータには有効期限を付与し、有効期限を過ぎた際には、バリュー還元を行わないこととしても構わない。
【００６５】
又、上記の実施形態において、コンテンツデータは同一で、メタデータ＋署名は、その都度変化すると説明したが、この場合、メタデータ＋署名の付け替えが可能になるという問題がある。このような付け替えを防止するため、コンテンツデータには、一定期間やダウンロード毎に異なる個別情報を埋め込んでもよい。このように、コンテンツデータに崔があるため、ハッシュ値が異なり、署名の付け替えを行うことができなくなる。又、署名が付け替えられたか否かの検証は、コンテンツデータそのものをコンテンツ配信サーバ２０に送らなくても、ダウンロードしたコンテンツを識別する情報（コンテンツＩＤなど）と、メタデータ＋署名’とによって可能となる。
【００６６】
このように、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００６７】
【図１】本実施形態に係るコンテンツ配信サーバの構成ブロック図である。
【図２】本実施形態に係るコンテンツ配信方法を示すシーケンス図である（その１）。
【図３】本実施形態に係るコンテンツの紹介を説明するための図である。
【図４】本実施形態に係るコンテンツ配信方法を示すシーケンス図である（その２）。
【図５】本実施形態に係るコンテンツの中継を説明するための図である。
【図６】本実施形態に係るコンテンツ配信方法を示すフローチャートである。
【図７】本実施形態に係るコンテンツの特典付与を説明するための図である。
【符号の説明】
【００６８】
１０、１０ａ、１０ｂ、１０ｃ…ユーザ端末
２０…コンテンツ配信サーバ
２１…受信部
２２…送信部
２３…認証部
２４…生成部
２５…保存部
２６…解析部
【図１】
2006295650.tif 000003
【図２】
2006295650.tif 000004
【図３】
2006295650.tif 000005
【図４】
2006295650.tif 000006
【図５】
2006295650.tif 000007
【図６】
2006295650.tif 000008
【図７】
2006295650.tif 000009